(57)【特許請求の範囲】
【請求項１】
上面及び下面のいずれかに表示画面を持つ上側ユニットと、上面及び下面のいずれかに操作面を持つ下側ユニットとが開閉及び回動自在に結合され、多種の機能及び多種の状態を持つ折り畳み式携帯情報端末であって、
前記上側ユニットと前記下側ユニットとの相対姿勢の変動を検出する検出手段と、
自端末の動作モードの変更を検出する動作モード判定手段と、
自端末の電池残量を検出する電池残量検出手段と、
自端末の通信状態を検出する電界強度検出手段と、
前記検出手段で前記上側ユニットと前記下側ユニットとの相対姿勢の変動が検出されかつ前記動作モード判定手段で前記動作モードの変更が検出された時に外部に対して希望する動作モードに適した状態かどうかの報知を行う報知手段とを有し、
前記報知手段は、
前記検出手段で前記上側ユニットと前記下側ユニットとの相対姿勢の変動が検出されかつ前記動作モード判定手段でアプリケーションプログラムの動作モードへの変更が検出された時に前記電池残量検出手段で検出された前記電池残量に応じて外部に対して当該動作モードに適した状態かどうかの報知を行い、
前記検出手段で前記上側ユニットと前記下側ユニットとの相対姿勢の変動が検出されかつ前記動作モード判定手段で通話モードへの変更が検出された時に前記電界強度検出手段で検出された前記通信状態に応じて外部に対して当該通話モードに適した状態かどうかの報知を行うことを特徴とする折り畳み式携帯情報端末。
【請求項２】
時刻を計時する時計手段を含み、
前記報知手段は、前記時計手段の出力する時間情報に基づく報知を行うことを特徴とする請求項１記載の折り畳み式携帯情報端末。
【請求項３】
前記報知手段は、光、音、振動のうちの少なくとも一つによって報知を行うことを特徴とする請求項１または請求項２記載の折り畳み式携帯情報端末。
【請求項４】
上面及び下面のいずれかに表示画面を持つ上側ユニットと、上面及び下面のいずれかに操作面を持つ下側ユニットとが開閉及び回動自在に結合され、多種の機能及び多種の状態を持つ折り畳み式携帯情報端末に用いる状態報知方法であって、
前記折り畳み式携帯情報端末が、
前記上側ユニットと前記下側ユニットとの相対姿勢の変動を検出するステップと、
自端末の動作モードの変更を検出するステップと、
自端末の電池残量を検出するステップと、
自端末の通信状態を検出するステップと、
前記相対姿勢の変動を検出するステップにて前記上側ユニットと前記下側ユニットとの相対姿勢の変動が検出されかつ前記動作モードの変更を検出するステップにて前記動作モードの変更が検出された時に外部に対して希望する動作モードに適した状態かどうかの報知を行うステップとを実行し、
前記折り畳み式携帯情報端末が、前記外部に報知を行うステップにおいて、
前記相対姿勢の変動を検出するステップにて前記上側ユニットと前記下側ユニットとの相対姿勢の変動が検出されかつ前記動作モードの変更を検出するステップにてアプリケーションプログラムの動作モードへの変更が検出された時に前記電池残量を検出するステップにて検出された前記電池残量に応じて外部に対して当該動作モードに適した状態かどうかの報知を行い、
前記相対姿勢の変動を検出するステップにて前記上側ユニットと前記下側ユニットとの相対姿勢の変動が検出されかつ前記動作モードの変更を検出するステップにて通話モードへの変更が検出された時に前記通信状態を検出するステップにて検出された前記通信状態に応じて外部に対して当該通話モードに適した状態かどうかの報知を行うことを特徴とする状態報知方法。
【請求項５】
前記折り畳み式携帯情報端末が、前記外部に報知を行うステップにおいて、現在時刻に基づく報知を行うことを特徴とする請求項４記載の状態報知方法。
【請求項６】
前記折り畳み式携帯情報端末が、前記外部に報知を行うステップにおいて、光、音、振動のうちの少なくとも一つによって報知を行うことを特徴とする請求項４または請求項５記載の状態報知方法。
【請求項７】
上面及び下面のいずれかに表示画面を持つ上側ユニットと、上面及び下面のいずれかに操作面を持つ下側ユニットとが開閉及び回動自在に結合され、多種の機能及び多種の状態を持つ折り畳み式携帯情報端末が実行するプログラムであって、
コンピュータに、
前記上側ユニットと前記下側ユニットとの相対姿勢の変動を検出する処理と、
自端末の動作モードの変更を検出する処理と、
自端末の電池残量を検出する処理と、
自端末の通信状態を検出する処理と、
前記相対姿勢の変動を検出する処理にて前記上側ユニットと前記下側ユニットとの相対姿勢の変動が検出されかつ前記動作モードの変更を検出する処理にて前記動作モードの変更が検出された時に外部に対して希望する動作モードに適した状態かどうかの報知を行う処理とを実行させ、
前記コンピュータに、前記外部に報知を行う処理において、
前記相対姿勢の変動を検出する処理にて前記上側ユニットと前記下側ユニットとの相対姿勢の変動が検出されかつ前記動作モードの変更を検出する処理にてアプリケーションプログラムの動作モードへの変更が検出された時に前記電池残量を検出する処理にて検出された前記電池残量に応じて外部に対して当該動作モードに適した状態かどうかの報知を行わせ、
前記相対姿勢の変動を検出する処理にて前記上側ユニットと前記下側ユニットとの相対姿勢の変動が検出されかつ前記動作モードの変更を検出する処理にて通話モードへの変更が検出された時に前記通信状態を検出する処理にて検出された前記通信状態に応じて外部に対して当該通話モードに適した状態かどうかの報知を行わせるためのプログラム。
【発明の詳細な説明】
【０００１】
【発明の属する技術分野】
本発明は折り畳み式携帯情報端末及びそれに用いる状態報知方法並びにそのプログラムに関し、特に上側ユニットと下側ユニットとが開閉及び回動自在な折り畳み式携帯情報端末に関する。
【０００２】
【従来の技術】
従来、折り畳み式携帯情報端末、特に折り畳み式携帯電話機においては、ストレートタイプよりもコンパクトに収納することができ、誤って操作部のキー操作が行われることがないことから広く好まれ、その需要が拡大してきている。
【０００３】
一方、携帯電話機では、単に通話のみでなく、インタネット等のブラウザ、電子メール送受信端末、スケジュール管理等の機能を付加した端末も活用されてきており、上記の機能によって多量の文字情報や画像等を表示しやすくするために表示器の大型化が進んでいる。
【０００４】
しかしながら、上記の折り畳みタイプの携帯電話機では、上下のユニットを開閉しなければならないという煩雑さ、表示器が縦長であるための制約（横一行の表示文字数、横長の画像の表示における制約）、デザイン（意匠）上の制約等がある。
【０００５】
これらの問題を解決するため、折り畳み式携帯電話機では、さらにその利便性を得るために、上側ユニットと下側ユニットとが開閉するのみならず、上側ユニットと下側ユニットとを回動自在に結合するものも提案されている。例えば、この種の折り畳み式携帯電話機については、特開平１１−３０２２６号公報や特開平１１−２１５２１８号公報等に開示されたものがある。
【０００６】
【発明が解決しようとする課題】
しかしながら、上述した折り畳み式携帯情報端末では、上側ユニットと下側ユニットとが開閉するのみならず、上側ユニットと下側ユニットとを回動自在に結合することで、その利便性の向上を図っているが、機能に応じて上側ユニット及び下側ユニットの姿勢状態が様々な形態をとるため、上側ユニットと下側ユニットとを回動させた場合に、その姿勢状態が使用者の使用する動作モードに適しているかどうかを即座に確認することが困難である。
【０００７】
例えば、上側ユニットと下側ユニットとを回動させて表示部を横長にしてブラウザや電子メール、あるいはゲーム等を行うモードの時に、通話モードに移行するためにさらに上側ユニットと下側ユニットとを回動させても、通話モードに適した状態かどうかを即座に確認することができない。その場合、通話モードに適していなければ、上側ユニットと下側ユニットとを通話モードに適した状態までいちいち確認しながら回動させなければならない。
【０００８】
そこで、本発明の目的は上記の問題点を解消し、多種の機能や多種の状態（姿勢）を持つ構造において動作モードを的確に認識することができる折り畳み式携帯情報端末及びそれに用いる状態報知方法並びにそのプログラムを提供することにある。
【０００９】
【課題を解決するための手段】
本発明による折り畳み式携帯情報端末は、上面及び下面のいずれかに表示画面を持つ上側ユニットと、上面及び下面のいずれかに操作面を持つ下側ユニットとが開閉及び回動自在に結合され、多種の機能及び多種の状態を持つ折り畳み式携帯情報端末であって、
前記上側ユニットと前記下側ユニットとの相対姿勢の変動を検出する検出手段と、
自端末の動作モードの変更を検出する動作モード判定手段と、
自端末の電池残量を検出する電池残量検出手段と、
自端末の通信状態を検出する電界強度検出手段と、
前記検出手段で前記上側ユニットと前記下側ユニットとの相対姿勢の変動が検出されかつ前記動作モード判定手段で前記動作モードの変更が検出された時に外部に対して希望する動作モードに適した状態かどうかの報知を行う報知手段とを備え、
前記報知手段は、
前記検出手段で前記上側ユニットと前記下側ユニットとの相対姿勢の変動が検出されかつ前記動作モード判定手段でアプリケーションプログラムの動作モードへの変更が検出された時に前記電池残量検出手段で検出された前記電池残量に応じて外部に対して当該動作モードに適した状態かどうかの報知を行い、
前記検出手段で前記上側ユニットと前記下側ユニットとの相対姿勢の変動が検出されかつ前記動作モード判定手段で通話モードへの変更が検出された時に前記電界強度検出手段で検出された前記通信状態に応じて外部に対して当該通話モードに適した状態かどうかの報知を行っている。
【００１０】
本発明による状態報知方法は、上面及び下面のいずれかに表示画面を持つ上側ユニットと、上面及び下面のいずれかに操作面を持つ下側ユニットとが開閉及び回動自在に結合され、多種の機能及び多種の状態を持つ折り畳み式携帯情報端末に用いる状態報知方法であって、
前記折り畳み式携帯情報端末が、
前記上側ユニットと前記下側ユニットとの相対姿勢の変動を検出するステップと、
自端末の動作モードの変更を検出するステップと、
自端末の電池残量を検出するステップと、
自端末の通信状態を検出するステップと、
前記相対姿勢の変動を検出するステップにて前記上側ユニットと前記下側ユニットとの相対姿勢の変動が検出されかつ前記動作モードの変更を検出するステップにて前記動作モードの変更が検出された時に外部に対して希望する動作モードに適した状態かどうかの報知を行うステップとを実行し、
前記折り畳み式携帯情報端末が、前記外部に報知を行うステップにおいて、
前記相対姿勢の変動を検出するステップにて前記上側ユニットと前記下側ユニットとの相対姿勢の変動が検出されかつ前記動作モードの変更を検出するステップにてアプリケーションプログラムの動作モードへの変更が検出された時に前記電池残量を検出するステップにて検出された前記電池残量に応じて外部に対して当該動作モードに適した状態かどうかの報知を行い、
前記相対姿勢の変動を検出するステップにて前記上側ユニットと前記下側ユニットとの相対姿勢の変動が検出されかつ前記動作モードの変更を検出するステップにて通話モードへの変更が検出された時に前記通信状態を検出するステップにて検出された前記通信状態に応じて外部に対して当該通話モードに適した状態かどうかの報知を行っている。
【００１１】
本発明によるプログラムは、上面及び下面のいずれかに表示画面を持つ上側ユニットと、上面及び下面のいずれかに操作面を持つ下側ユニットとが開閉及び回動自在に結合され、多種の機能及び多種の状態を持つ折り畳み式携帯情報端末が実行するプログラムであって、
コンピュータに、
前記上側ユニットと前記下側ユニットとの相対姿勢の変動を検出する処理と、
自端末の動作モードの変更を検出する処理と、
自端末の電池残量を検出する処理と、
自端末の通信状態を検出する処理と、
前記相対姿勢の変動を検出する処理にて前記上側ユニットと前記下側ユニットとの相対姿勢の変動が検出されかつ前記動作モードの変更を検出する処理にて前記動作モードの変更が検出された時に外部に対して希望する動作モードに適した状態かどうかの報知を行う処理とを実行させ、
前記コンピュータに、前記外部に報知を行う処理において、
前記相対姿勢の変動を検出する処理にて前記上側ユニットと前記下側ユニットとの相対姿勢の変動が検出されかつ前記動作モードの変更を検出する処理にてアプリケーションプログラムの動作モードへの変更が検出された時に前記電池残量を検出する処理にて検出された前記電池残量に応じて外部に対して当該動作モードに適した状態かどうかの報知を行わせ、
前記相対姿勢の変動を検出する処理にて前記上側ユニットと前記下側ユニットとの相対姿勢の変動が検出されかつ前記動作モードの変更を検出する処理にて通話モードへの変更が検出された時に前記通信状態を検出する処理にて検出された前記通信状態に応じて外部に対して当該通話モードに適した状態かどうかの報知を行わせている。
【００１２】
すなわち、本発明の折り畳み式携帯情報端末は、上側ユニットと下側ユニットとが開閉及び回動自在に結合されており、これら上側ユニット及び下側ユニット開閉あるいは回動操作を検出し、その状態と動作状態とに応じて報知を行う報知手段を有することを特徴とする。
【００１３】
これによって、本発明の折り畳み式携帯情報端末では、上側ユニットと下側ユニットとの開閉または回動操作を検出し、希望する動作モードに適した状態かどうかを報知することで、多種の機能や多種の状態（姿勢）を持つ構造において動作モードを的確に認識することが可能となり、各種操作の際の利便性を向上させることが可能となる。
【００１４】
【発明の実施の形態】
次に、本発明の実施例について図面を参照して説明する。図１は本発明の一実施例による携帯情報端末の概略構成を示すブロック図である。図１において、本発明の一実施例による携帯情報端末は制御部１と、アンテナ２と、無線部３と、電池部４と、時計部（タイマ）５と、記憶部６と、報知部７と、記録媒体８とから構成され、図示せぬ上側ユニットと下側ユニットとが開閉及び回動自在に結合されている。ここで、記録部６には音、スケジュール、画面、電話帳等の各種設定情報、コンテンツ（アプリケーションプログラム）等が記憶されている。
【００１５】
制御部１は電解強度判定部１１と、着信・終話制御部１２と、開閉検出部１３と、回転角度検出部１４と、報知制御部１５と、動作モード判定部１６と、電池残量判定部１７と、表示制御部１８と、時間判定部１９とから構成されている。また、制御部１は主にコンピュータから構成され、このコンピュータが記録媒体８に記録されたプログラムを実行することで上記の各部を実現している。
【００１６】
電界強度判定部１１は無線部３を介して受信電界強度を判別し、着信・終話制御部１２は上側ユニットの開閉操作・回動操作に対応した着信制御動作も可能となっている。
【００１７】
開閉検出部１３は上側ユニットの開閉状態や表裏区別を検出し、回転角度検出部１４は各種センサ（図示せず）の出力に基づいて上側ユニットの回転角度を判別する。
【００１８】
報知制御部１５は上側ユニットの開閉操作・回動操作に対応した着信時の報知動作も制御可能となっている。報知制御部１５は下側ユニットと上側ユニットとの相互位置（相対姿勢）の変動が磁気センサ及びマグネットを介して開閉検出部１３または回転角度検出部１４によって検出された時、電界強度判定部１１、動作モード判定部１６、電池残量判定部１７、時間判定部１９等の判定結果に応じて、表示器５４、副表示器５５、スピーカ５１、及び報知部７［バイブレータ、ＬＥＤ（Ｌｉｇｈｔ  Ｅｍｉｔｔｉｎｇ  Ｄｉｏｄｅ：発光ダイオード）、スピーカ等］の少なくとも１つによって報知を行う。
【００１９】
動作モード判定部１６は自端末の動作モード（通話、ゲーム、コンテンツ再生等）を判別し、電池残量判定部１７は電池部４の電池残量状態を判別しする。表示制御部１８は表示内容そして回転角度検出部１４及び開閉検出部１３の出力を反映させた表示内容の向き等を制御する。
【００２０】
時間判定部１９は時計部５の出力を基に現在時刻を判別する。尚、本実施例では時計部５を制御部１の外部に設けているが、制御部１が時計機能を有していても良い。
【００２１】
図２は本発明の一実施例による携帯情報端末の詳細な構成を示すブロック図である。図２において、本発明の一実施例による携帯情報端末は下側ユニット４０と上側ユニット５０とが開閉及び回動自在に結合されて構成されている。
【００２２】
下側ユニット４０にはアンテナ２と、ＲＦ回路３１と、変復調回路３２と、ベースバンド処理回路３３と、コーディック回路３４と、制御部１と、マイクロホン４１と、操作キー４３と、電池部４と、時計部５と、記憶部６と、報知部７と、記録媒体８と、上側ユニット５０の位置（下側ユニット４０に対する姿勢）を検出するための３個の磁気センサ４２ａ〜４２ｃとが実装されている。
【００２３】
尚、ＲＦ回路３１は図示せぬ受信回路、送信回路、周波数シンセサイザを備えている。操作部を構成する操作キー４３は周知の送信キー、英字／カナ／漢字／数字の変換キー、電源のオン／オフキー、カーソル操作を行う十文字キー、終了キー等からなる。
【００２４】
また、上側ユニット５０にはスピーカ５１と、下側ユニット４０の磁気センサ４２ａ，４２ｂに対応して配置されたマグネット５２ａと、磁気センサ４２ｃに対応して配置されたマグネット５２ｂと、主画面となる表示器［液晶ディスプレイ（ＬＣＤ：Ｌｉｑｕｉｄ  Ｃｒｙｓｔａｌ  Ｄｉｓｐｌａｙ）５４と、表示器５４の表面に組込まれたタッチパネル機構５３と、副表示器５５及び副操作キー５６とが実装されている。尚、スピーカ５１は音声受話器として機能するとともに、報知部７をも兼ねている。
【００２５】
上記の下側ユニット４０と上側ユニット５０とは、必要に応じて様々な相互位置（相対姿勢）をとることができ、磁気センサ群４２及びこれと協働するマグネット群５２によってその相互位置の検出を行うことができる。
【００２６】
図３は本発明の一実施例による携帯情報端末として適用可能な携帯電話機の外観図であり、図４（ａ）〜（ｄ）は図３に示す携帯情報端末の回動状態を示す図である。図３においては上側ユニット２００の表示面２０２を外方に向けて横向きに展開した状態を示している。
【００２７】
図３において、携帯電話機５００は、主として、操作部を有する下側ユニット１００と、表示部２０２を有する上側ユニット２００と、下側ユニット１００及び上側ユニット２００を回動・回転自在に結合する可動接合部材（ユニバーサルヒンジ部）である２軸ヒンジ３００との３部分によって構成されている。尚、下側ユニット１００は図２に示す下側ユニット４０に相当し、上側ユニット２００は図２に示す上側ユニット５０に相当する。
【００２８】
下側ユニット１００及び上側ユニット２００は所定厚みで略同じ大きさの偏平な長円形状をしており、２軸ヒンジ３００を介して機構的に結合され、上側ユニット２００が２軸ヒンジ３００の部分を中心にして下側ユニット１００に対して回転・回動自在な構造となっている。また、下側ユニット１００及び上側ユニット２００は、２軸ヒンジ３００の部分を経由して適宜の接続手段（図示せず）によって電気的に接続されている。
【００２９】
下側ユニット１００の外ケース１０１内部には図２に示す下側ユニット４０の構成が収納あるいは取付けられている。下側ユニット１００の片面（操作面）１０１ａにはこの携帯電話機５００の持つ機能を利用するための複数の操作キー１０２で構成される操作部が配設されている。更に、同じ操作面１０１ａの先端部にマイクロホン１０３の開口部が配置されている。
【００３０】
また、操作面１０１ａの基端部近傍で、下側ユニット１００の縁部から所定距離（上側ユニット２００の厚み寸法の略半分の距離）だけ離れて、幅方向の中央位置には操作面１０１ａに略垂直に回動軸がその先端部を突出して回動自在に固定されている。
【００３１】
上側ユニット２００の外ケース２０１内部には図２に示す上側ユニット５０の構成が収納あるいは取付けられている。上側ユニット２００の片面（表示面）２０１ａには略矩形をした表示器２０２が縦長に配設されている。また、先端部分にはスピーカ２０３が配設されている。尚、表示面２０１ａとの反対面には小形の副表示器２０６が設けられている。
【００３２】
上述したように、携帯電話機５００は２つの上側ユニット２００及び下側ユニット１００がそれぞれの基端部部において、独立して回動可能な直交する２つの回動軸を含んで構成された２軸ヒンジ３００によって結合された構造となっている。
【００３３】
図４（ａ）は下側ユニット１００に対して上側ユニット２００の表示面２０１ａが対向する向きで折り畳んだ状態を示す外観図である。この状態は、従来の携帯電話機を折り畳んだ状態と全く同様で、全体が携行に便利なようにコンパクトになる。また、表示面２０１ａは外部に露呈せずに保護されている。尚、副表示部２０６には最小範囲の情報が表示される。
【００３４】
図４（ｂ）は図４（ａ）の状態から上側ユニット２００をそのまま引き起こして展開した状態（通常通話位置）を示す外観図である。この状態は従来の携帯電話機と同様に、表示の確認と、各種操作と、通話とができる。
【００３５】
図４（ｃ）は、例えば図４（ｂ）の状態から上側ユニット２００を下側ユニット１００の操作面１０１ａと平行な平面に沿って時計回りに略９０度回動させた状態を示す外観図である。この時、表示器２０２は横長となる。尚、図４（ｄ）の折り畳み状態から反時計回りにスライドさせて回動することでも図４（ｃ）に示す状態になる。
【００３６】
また、図示していないが、図４（ｂ）に示す通常通話位置（標準展開状態）から上側ユニット２００を表示平面方向に反時計回りに略９０度だけ回動させることもでき、この場合も上側ユニット２００と下側ユニット１００とは略同一平面内で略直交した状態となり、表示器２０２は操作面１０１ａの上下方向向に対して横長となる。
【００３７】
さらに、携帯電話機５００では閉じる場合に、標準状態とは逆に、すなわち、通常は内側に収納される表示器２０２を外側にして閉じた状態とすることもできる。
【００３８】
図４（ｄ）は上側ユニット２００の表示面２０１ａが外方に向く向きで下側ユニット１００に対して折り畳んだ状態を示す外観図である。例えば、携帯電話機５００を開いた状態［図３（ｂ）参照］から、上側ユニット２００を半回転させることで、表示面２０１ａを外側にし、図４（ｄ）に示すように、逆向きに閉じることが可能である。この状態では、携行に便利なようにコンパクトになり、同時に折り畳んだままで表示内容を視認することができ、また、第二操作部２０７が外側に露呈しているので、第二操作部２０７を用いて表示内容に応じた所定の操作を行うことができる。
【００３９】
尚、図４（ｄ）に示す折り畳み状態を回転角度検出部１４が感知し、これに対応して表示器２０２の表示内容を上下逆転して表示するようにしても良い。この時、第二操作部２０７のうちで方向キー（カーソルキー）等、操作に対応した処理に方向性があるものについては、処理内容を表示方向に適合させる。このようにすれば、携帯電話機５００の持ちかたを通常と変えることなく、標準折り畳み状態と同じように、携帯電話機５００を掌中に保持し、表示がそのまま読取れ、必要操作も行える。
【００４０】
図５は図１の制御部１の動作例を示すフローチャートであり、図６は図１の制御部１の他の動作例を示すフローチャートである。これら図１〜図６を参照して本発明の一実施例による携帯情報端末の動作について上記の携帯電話機５００を例にとって説明する。尚、図５及び図６に示す処理動作は記録媒体８に記録されたプログラムを制御部１が実行することで実現される。
【００４１】
携帯電話機５００においては、下側ユニット１００と上側ユニット２００との相互位置（相対姿勢）の変動が磁気センサ群４２及びマグネット群５２を介して開閉検出部１３または回転角度検出部１４によって検出された時に、報知制御部１５が表示器２０２、副表示器２０６、スピーカ２０３、及び報知部７［バイブレータ、ＬＥＤ、スピーカ等］の少なくとも１つによって報知を行う。
【００４２】
例えば、下側ユニット１００と上側ユニット２００との相互位置として、図４（ａ）〜（ｄ）の任意の位置から他の位置に移行した場合に、報知の一例として、スピーカ２０３から記憶部６に記憶された任意のメロディ（音楽）を所定時間出力する。尚、記憶部６のメロディ（音楽）は設定可能となっている。
【００４３】
または、携帯電話機５００においては、下側ユニット１００と上側ユニット２００との相互位置（相対姿勢）の変動が磁気センサ群４２及びマグネット群５２を介して開閉検出部１３または回転角度検出部１４によって検出され（図５ステップＳ１）、該検出が携帯電話機の動作モードの変更を伴う場合（図５ステップＳ２）、報知制御部１５が表示器２０２、副表示器２０６、スピーカ２０３、及び報知部７（バイブレータ、ＬＥＤ、スピーカ等）の少なくとも１つによって報知を行う（図５ステップＳ４，Ｓ５，Ｓ７，Ｓ８）。
【００４４】
例えば、下側ユニット１００と上側ユニット２００との相互位置として、図４（ｂ）の通話モードから図４（ｃ）のゲームモードに移行した場合（動作モードの変更あり）には、報知の一例として、スピーカ２０３から記憶部６に記憶された任意のメロディ（音楽）が所定時間出力される。
【００４５】
この図４（ｂ）の通話モードから図４（ｃ）のゲームモードに移行した場合（図５ステップＳ１，Ｓ２）、報知制御部１５は電池残量判定部１７の判定値に応じて、報知の一例として、スピーカ２０３から記憶部６に記憶された任意のメロディ（音楽）を所定時間出力する。
【００４６】
この場合、報知制御部１５は電池残量判定部１７の判定値が電池部４の残量大を示していれば、ゲーム実行可能と判断し（図５ステップＳ６）、スピーカ２０３から記憶部６に記憶されたゲームモードのメロディ（音楽）を所定時間出力する（図５ステップＳ７）。また、報知制御部１５は電池残量判定部１７の判定値が電池部４の残量小を示していれば、ゲーム実行不可と判断し（図５ステップＳ６）、スピーカ２０３から記憶部６に記憶されたモード変更不可のメロディ（音楽）を所定時間出力する（図５ステップＳ８）。
【００４７】
一方、図４（ｃ）のゲームモードから図４（ｂ）の通話モードに移行した場合（図５ステップＳ１，Ｓ２）、報知制御部１５は電界強度判定部１１の判定値に応じて、報知の一例として、スピーカ２０３から記憶部６に記憶された任意のメロディ（音楽）を所定時間出力する。
【００４８】
この場合、報知制御部１５は電界強度判定部１１の判定値を通話可と判断すると（図５ステップＳ３）、スピーカ２０３から記憶部６に記憶された通話モードのメロディ（音楽）を所定時間出力する（図５ステップＳ４）。また、報知制御部１５は電界強度判定部１１の判定値を通話不可と判断すると（図５ステップＳ３）、スピーカ２０３から記憶部６に記憶されたモード変更不可のメロディ（音楽）を所定時間出力する（図５ステップＳ５）。
【００４９】
報知制御部１５は自端末の電源がオフとなるまで（図５ステップＳ９）、上記の処理動作を繰返し行う。上記の動作モードでは通話モードとゲームモードについて述べたが、スケジュール管理モード、ブラウザや電子メールのモードにも対応させることができる。
【００５０】
上記の携帯電話機５００において、下側ユニット１００と上側ユニット２００との相互位置（相対姿勢）の変動が磁気センサ群４２及びマグネット群５２を介して開閉検出部１３または回転角度検出部１４によって検出された場合には、時計部５の出力値に応じて、表示器２０２、副表示器２０６、スピーカ２０３、及び報知部７（バイブレータ、ＬＥＤ、スピーカ等）の少なくとも１つによって報知が行われる。
【００５１】
例えば、下側ユニット１００と上側ユニット２００との相互位置として、図４（ａ）〜（ｄ）の任意の位置から他の位置に移行した場合（図６ステップＳ１１）、報知制御部１５は時計部５の出力値が午前と判断すると（図６ステップＳ１２）、スピーカ２０３から記憶部６に記憶された午前を示すメロディ（音楽）を所定時間出力する（図６ステップＳ１３）。また、報知制御部１５は時計部５の出力値が午後と判断すると（図６ステップＳ１２）、スピーカ２０３から記憶部６に記憶された午後を示すメロディ（音楽）を所定時間出力する（図６ステップＳ１４）。報知制御部１５は自端末の電源がオフとなるまで（図６ステップＳ１５）、上記の処理動作を繰返し行う。
【００５２】
このように、本実施例では、ユニットの開閉あるいは回動操作を検出して報知行う報知制御部１５を備えることで、多種の機能や多種の状態（姿勢）を可能とする２軸ヒンジ構造を持つ携帯情報端末に対して、その動作モードを的確に認識することができる。
【００５３】
尚、本実施例では携帯電話機５００を例として説明したが、例えば、ＰＤＡ（Ｐｅｒｓｏｎａｌ  Ｄｅｇｉｔａｌ  Ａｓｉｓｔａｎｔ）等の携帯端末にも適用可能であり、これに限定されない。また、本実施例では図５及び図６に示す処理動作を個別に説明したが、これらの処理を組合せて動作させることも可能であり、これに限定されない。
【００５４】
【発明の効果】
以上説明したように本発明は、上面及び下面のいずれかに表示画面を持つ上側ユニットと、上面及び下面のいずれかに操作面を持つ下側ユニットとが開閉及び回動自在に結合された折り畳み式携帯情報端末において、上側ユニットと下側ユニットとの相対姿勢の変動が検出された時に外部に報知を行うことによって、多種の機能や多種の状態（姿勢）を持つ構造において動作モードを的確に認識することができるという効果が得られる。
【図面の簡単な説明】
【図１】本発明の一実施例による携帯情報端末の構成を示すブロック図である。
【図２】本発明の一実施例による携帯情報端末の詳細な構成を示すブロック図である。
【図３】本発明の一実施例による携帯情報端末として適用可能な携帯電話機の外観図である。
【図４】（ａ）〜（ｄ）は図３に示す携帯情報端末の回動状態を示す図である。
【図５】図１の制御部の動作例を示すフローチャートである。
【図６】図１の制御部１の他の動作例を示すフローチャートである。
【符号の説明】
１  制御部
２  アンテナ
３  無線部
４  電池部
５  時計部
６  記憶部
７  報知部
８  記録媒体
１１  電解強度判定部
１２  着信・終話制御部
１３  開閉検出部
１４  回転角度検出部
１５  報知制御部
１６  動作モード判定部
１７  電池残量判定部
１８  表示制御部
１９  時間判定部
３１  ＲＦ回路
３２  変復調回路
３３  ベースバンド処理回路
３４  コーディック回路
４０  下側ユニット
４１  マイクロホン
４２ａ〜４２ｃ  磁気センサ
４３  操作キー
５０  上側ユニット
５１  スピーカ
５２ａ，５２ｂ  マグネット
５３  タッチパネル機構
５４  表示器
５５  副表示器
５６  副操作キー
【図１】
0004309091.tif 000002
【図２】
0004309091.tif 000003
【図３】
0004309091.tif 000004
【図４】
0004309091.tif 000005
【図５】
0004309091.tif 000006
【図６】
0004309091.tif 000007